(57)【要約】      （修正有）【課題】奥にある商品を手前に移し易く、新しい商品の補充を容易にすると共に、冷ケースの最下段の汚れが付き難い冷ケース用商品陳列箱を提供する。【解決手段】有底四角形状の大箱ケース１１と、底面裏側に付設された滑り部材１２２を有し大箱ケース１１に対して前後方向スライド自在に嵌め込まれて、大箱ケース１１内を２つまたは３つの商品陳列区画に区切る大箱ケース１１より前後寸法が短い有底四角形状のスライドケース１２とからなる。【選択図】図２
0003101800.tif 000002
【実用新案登録請求の範囲】
【請求項１】
有底四角形状の大箱ケースと、該大箱ケースに対して前後方向スライド自在に嵌め込まれて、該大箱ケース内を２つまたは３つの商品陳列区画に区切る該大箱ケースより前後寸法が短い有底四角形状のスライドケースとからなり、該大箱ケースの底板表面上又は該スライドケースの底板裏側に滑り部材が付設されたことを特徴とする冷ケース用商品陳列箱。
【請求項２】
有底四角形状の大箱ケースと、該大箱ケース内に収容される有底四角形状の複数個の小箱ケースとからなり、該大箱ケースの底板表面上又は該小箱ケースの底板裏側に滑り部材が付設されたことを特徴とする冷ケース用商品陳列箱。
【請求項３】
前記小箱ケースは同一形状物の２個ものであることを特徴とする請求項２記載の冷ケース用商品陳列箱。
【請求項４】
冷ケースの最下段に載置されるものである請求項１〜３のいずれか１項記載の冷ケース用商品陳列箱。
【請求項５】
前記滑り部材はローラー部材であって、該スライドケースの底板裏側の四隅に付設されることを特徴とする請求項１記載の冷ケース用商品陳列箱。
【請求項６】
該スライドケースの後方側板の内側にミラー板取り付け用の係止片を付設したものであることを特徴とする請求項１記載の冷ケース用商品陳列箱。
【請求項７】
一番奥に位置する小箱ケースの後方側板の内側にミラー板取り付け用の係止片を付設したものであることを特徴とする請求項２記載の冷ケース用商品陳列箱。
【考案の詳細な説明】
【技術分野】
【０００１】
本考案は、スーパーなどで使用される冷ケースの最下段における商品の陳列および新しい商品の補充に好適な冷ケース用商品陳列箱に関するものである。
【背景技術】
【０００２】
スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、特にオープン冷ケースの最下段にある陳列商品の場合、新しい商品を後方の空間へ補充する作業は、前方にある商品が邪魔をして行い難い。また、奥にある商品を手前に移すのも大変な作業となっている。また、冷ケースには汁物商品の陳列が多く、冷ケースの最下段はどうしても汚れが付き易いという問題がある。
【考案の開示】
【考案が解決しようとする課題】
【０００４】
従って、本考案の目的は、奥にある商品を手前に移し易く、新しい商品の補充を容易にすると共に、冷ケースの最下段の汚れが付き難い冷ケース用商品陳列箱を提供することにある。
【課題を解決するための手段】
【０００５】
すなわち、本考案（１）は、有底四角形状の大箱ケースと、該大箱ケースに対して前後方向スライド自在に嵌め込まれて、該大箱ケース内を２つまたは３つの商品陳列区画に区切る該大箱ケースより前後寸法が短い有底四角形状のスライドケースとからなり、該大箱ケースの底板表面上又は該スライドケースの底板裏側に滑り部材が付設された冷ケース用商品陳列箱を提供するものである。
また、本考案（２）は、有底四角形状の大箱ケースと、該大箱ケース内に収容される有底四角形状の複数個の小箱ケースとからなり、該大箱ケースの底板表面上又は該小箱ケースの底板裏側に滑り部材が付設された冷ケース用商品陳列箱を提供するものである。
【０００６】
また、本考案（３）は、前記小箱ケースは同一形状物の２個ものであることを特徴とする前記冷ケース用商品陳列箱を提供するものである。
【０００７】
また、本考案（４）は、冷ケースの最下段に載置されるものである前記冷ケース用商品陳列箱を提供するものである。
【０００８】
また、本考案（５）は、前記滑り部材はローラー部材であって、該スライドケースの底板裏側の四隅に付設される前記冷ケース用商品陳列箱を提供するものである。
【０００９】
また、本考案（６）は、該スライドケースの後方側板の内側にミラー板取り付け用の係止片を付設した前記冷ケース用商品陳列箱を提供するものである。
【００１０】
また、本考案（７）は、一番奥に位置する小箱ケースの後方側板の内側にミラー板取り付け用の係止片を付設したものである前記冷ケース用商品陳列箱を提供するものである。
【考案の効果】
【００１１】
本考案の冷ケース用商品陳列箱は、奥にある商品を手前に移し易く、新しい商品の補充を容易にすると共に、冷ケースの最下段に汚れが付き難い。
【考案を実施するための最良の形態】
【００１２】
本考案の実施の形態における冷ケース用商品陳列箱を図１〜図５を参照して説明する。図１は本例の冷ケース用商品陳列箱の斜視図、図２は本例の冷ケース用商品陳列箱の縦断面図、図３は本例の冷ケース用商品陳列箱で用いるスライドケースを裏から見た斜視図、図４（Ａ）、（Ｂ）は冷ケースの最下段に収納された本例の冷ケース用商品陳列箱に商品を陳列する方法を説明する図、図５（Ｃ）〜（Ｅ）は冷ケースの最下段に収納された本例の冷ケース用商品陳列箱の使い方を説明する図である。図中、符号Ｘは手前（前方）側を示す。
【００１３】
本例の冷ケース用商品陳列箱１０は、有底四角形状の大箱ケース１１と、大箱ケース１１に対して前後方向スライド自在に嵌め込まれる大箱ケース１１より前後寸法が短い有底四角形状のスライドケース１２とからなる。
【００１４】
有底四角形状の大箱ケース１１は、通常、冷ケース内において、複数個を横並びで使用される。このため、幅寸法（横方向の寸法）としては、特に制限されず、冷ケースの大きさや陳列商品の種類などにより適宜決定される。また、奥行き寸法としては、特に制限されないが、冷ケースの奥行き寸法よりやや小さい程度とすることが、陳列面積を有効利用することができる点で好適である。また、側板の高さとしては、特に制限されず、冷ケースの最下段に収容される場合、冷ケースの前方の側壁高さより小さいことが、陳列商品が取り易く、目障りとならない点でも好ましい。また、冷ケースの最下段以外の棚２１、２１に使用する場合、陳列商品の種類や陳列ボリュームをどの程度まで演出するかによって適宜決定される。
【００１５】
スライドケース１２は、底板裏側に付設された滑り部材１２２を有し、大箱ケース内を２つまたは３つの商品陳列区画に区切る大箱ケース１１より前後寸法が短い有底四角形状のものである。本例のスライドケース１２の１個の大きさは、大箱ケース１１に２個入る大きさである。また、その底板裏側の四隅にはローラー部材１２２、１２２、１２２、１２２が付設されている。これにより、スライドケース１２は大箱ケース内を円滑に移動できる。
【００１６】
スライドケース１２の裏面に付設されるローラー部材１２２は、多数の円筒コロを縦列配置したものを横に多数列で配置した公知のものが使用できる。また、ローラー部材１２２は図示されるように間引かれたものではなく、裏面全体に付設されたものであってもよい。また、滑り部材は、ローラー部材以外に、滑り面を有する樹脂部材などであってもよい。
【００１７】
また、スライドケース１２の後方側板の底部の内側にはミラー係止片１２３、１２３が付設されている。このミラー係止片１２３、１２３にミラー１３を設置することにより、スライドケース１２が手前になるような陳列形態であっても、スライドケース１２内にある陳列商品のボリューム感を高める陳列効果を得ることができる。
【００１８】
次に、本例の冷ケース用商品陳列箱１０の使用方法について図４および図５を参照して説明する。先ずスライドケース１２を大箱ケース１１に嵌めこみ、更にミラー１３をミラー係止片１２３に差込み、本例の冷ケース用商品陳列箱１０を組み立てる。次いで、これを冷ケース２０の最下段２３に置く。この際、スライドケース１２は大箱ケース１１の手前側にしておく。次に、スライドケース１２内に商品Ａを陳列する（図４（Ａ））。次にスライドケース１２を手で押して後方へ押しやる。すると、大箱ケース１１の手前に陳列空間ができるため、当該空間に更に商品Ａを陳列する（図４（Ｂ））。これにより客を待つ陳列状態、すなわち準備を完了する。
【００１９】
通常、商品Ａは前の方から売れるため、本例では大箱ケース１１内であってスライドケース１２の外にある商品Ａが少なくなる（図５（Ｃ））。この場合、商品Ａの前出しが行われる。前出しの方法としては、特に制限されず、種々の方法を採ることができる。例えば手前にある残り少ない商品を最前列に高盛りし、スライドケース１２を手前に引き出す方法（図５（Ｅ））、手前にある残り少ない商品を隣の商品陳列箱１０に移し、スライドケース１２外の手前にある商品を空にした後、スライドケース１２を最前列へ引き出す方法（図５（Ｄ））などが挙げられる。
【００２０】
また、本例の冷ケース用商品陳列箱１０は、例えば最下段２３に置かれた場合、他の陳列棚２１、２２や最下段に置かれた汁物商品からの汚れは、スライドケース１２内や大箱ケース１１内に留まり、冷ケースを構成する部材を汚すことはない。そして、スライドケース１２や大箱ケース１１の汚れの洗浄や清掃などは容易であり、冷ケースを含めた商品陳列系をいつも清潔に保つことができる。
【００２１】
本例の冷ケース用商品陳列箱１０は、これを特に冷ケースの最下段において使用し、前の方から商品が売れていく際、奥にある商品を手前に移し易く、また、新しい商品の補充を容易にする。更に、スライドケース１２が手前にきても、ミラー１３が陳列商品のボリュウム感を引き出すため、陳列の演出効果も高まる。更に、冷ケース２０の最下段２３に汁物商品に起因する汚れが付着せず、汚れがついたスライドケース１２や大箱ケース１１は洗浄や清掃が行い易い。
本考案の冷ケース用商品陳列箱において、滑り部材は、上記実施の形態例に示すようなスライドケースの底板の裏面に付設される以外に、大箱ケースの底板の表面に付設されていてもよいし、また、スライドケースの底板の裏面と大箱ケースの底板の表面の双方に付設されていてもよい。スライドケースの底板の裏面と大箱ケースの底板の表面の双方に付設される場合、それぞれの滑り部材がスライド過程において接触しない部位に付設することがスライドのストロークを大きく採れる点で好ましい。滑り部材を大箱ケースの底板の表面に付設する場合においても、滑り部材は前記同様にローラー部材以外に、滑り面を有する樹脂部材などであってもよい。
本発明の他の実施の形態における冷ケース用商品陳列箱としては、有底四角形状の大箱ケースと、該大箱ケース内に実質的に隙間なく収容される有底四角形状の複数個、好ましくは２個の小箱ケースとからなり、該大箱ケースの底板表面上又は該小箱ケースの底板裏側に滑り部材が付設された冷ケース用商品陳列箱が挙げられる（不図示）。この実施の形態例における冷ケース用商品陳列箱は、例えば図１におけるスライドケース（本例の小箱ケース）をもう１個用意し、２個の小箱ケースを大箱ケースに隙間なく収容したものである。但し、手前側の小箱ケースにはミラー板取り付け用の係止片は付設されていない。
【００２２】
この場合、一番奥に位置する小箱ケースの後方側板の内側にミラー板取り付け用の係止片を付設したものが、前記実施の形態例と同様に、小箱ケースが手前にきても、ミラーが陳列商品のボリュウム感を引き出すため、陳列の演出効果も高まる点で好ましい。
【００２３】
本実施の形態例の冷ケース用商品陳列箱の使用方法としては、先ず例えば２個小箱ケースを大箱ケースに嵌めこみ、更にミラーを奥にある小箱ケースのミラー係止片に差込み、本例の冷ケース用商品陳列箱を組み立てる。次に、２個の小箱ケース内に商品を陳列する。次いで、これを冷ケースの最下段に置き、客を待つ陳列状態、すなわち準備を完了する。
【００２４】
通常、商品は前の方から売れるため、本例では大箱ケース内であって手前の小箱ケースにある商品が少なくなる。そして、手前の小箱ケース内の商品が無くなれば、当該小箱ケースを取り出し、奥にある小箱ケースを手前に引き出でばよい。本実施の形態例の冷ケース用商品陳列箱においても、前記実施の形態例の冷ケース用商品陳列箱と同様の効果を奏する。
【図面の簡単な説明】
【００２５】
【図１】本例の冷ケース用商品陳列箱の斜視図である。
【図２】本例の冷ケース用商品陳列箱の縦断面図である。
【図３】本例の冷ケース用商品陳列箱で用いるスライドケースを裏から見た斜視図である。
【図４】（Ａ）、（Ｂ）は冷ケースの最下段に収納された本例の冷ケース用商品陳列箱に商品を陳列する方法を説明する図である。
【図５】（Ｃ）〜（Ｅ）は冷ケースの最下段に収納された本例の冷ケース用商品陳列箱の使い方を説明する図である。
【符号の説明】
【００２６】
１０    冷ケース用商品陳列箱
１１    大箱ケース
１２    スライドケース
１３    ミラー
２０    冷ケース
２１    第１陳列棚
２２    第２陳列棚
２３    最下段
１２２  ローラー部材（滑り部材）
１２３  ミラー係止片
Ａ      商品
【図１】
0003101800.tif 000003
【図２】
0003101800.tif 000004
【図３】
0003101800.tif 000005
【図４】
0003101800.tif 000006
【図５】
0003101800.tif 000007